(57)【要約】【課題】本発明は、効率のよい波力発電装置を提供する。【解決手段】オイル槽の中にシリンダを設置し、浮動体の上下とピストン支持棒の上下とを滑車を介して１つの輪となるように繋ぎ、波によって上下する浮動体の運動をピストンに伝え、シリンダからオイルを空気室に送り、空気室から送り出される整流されたオイルによりタービン・発電機を回転させる構成とした。【選択図】図６
2011021590.tif 000002
【特許請求の範囲】
【請求項１】
波によって上下する浮動体に連結したピストンでシリンダから海水を空気室に送り、空気室から送り出される整流された海水によりタービンを回転させて発電する装置。
【請求項２】
浮動体とそれに釣り合う重量のピストンとを滑車を介して繋ぎ、波によって上下する浮動体の運動をピストンに伝え、シリンダから海水を空気室に送り、空気室から送り出される整流された海水によりタービンを回転させて発電する装置。
【請求項３】
浮動体の上下とピストン支持棒の上下とを滑車を介して１つの輪となるように繋ぎ、波によって上下する浮動体の運動をピストンに伝え、シリンダから海水を空気室に送り、空気室から送り出される整流された海水によりタービンを回転させて発電する装置。
【請求項４】
オイル槽の中にシリンダを設置し、浮動体の上下とピストン支持棒の上下とを滑車を介して１つの輪となるように繋ぎ、波によって上下する浮動体の運動をピストンに伝え、シリンダからオイルを空気室に送り、空気室から送り出される整流されたオイルによりタービンを回転させて発電する装置。
【発明の詳細な説明】
【技術分野】
【０００１】  この発明は、波力発電装置に関する。
【背景技術】
【０００２】  波力発電装置には、振り子式波力発電装置や水柱振動型波力発電装置などがある。
【先行技術文献】
【非特許文献】
【０００３】
【非特許文献１】「波力発電」渡部富治・近藤俶郎著（パワー社）
【発明の概要】
【発明が解決しようとする課題】
【０００４】  振り子式波力発電装置は、振り子でシリンダポンプ又はロータリベーンポンプを動かすが、振り子とこれらのポンプ並びに発電機が近接しており、海水による腐食を受けやすい。【０００５】  水柱振動型波力発電装置は、波のエネルギーを空気圧のエネルギーに変換するが、空気は圧力が加わると収縮するため、タービンを回す仕事をしないで収縮と膨張を繰り返す一定量の空気が必ず存在し、効率を下げている。【０００６】  従来の波力発電装置は、波の周期による出力の変動を十分には除去できない。
【課題を解決するための手段】
【０００７】  上記の課題を解決するために、本発明（請求項１）の波力発電装置は、波によって上下する浮動体に連結したピストンでシリンダから海水を空気室に送り、空気室から送り出される整流された海水によりタービンを回転させる構成とした。【０００８】  本発明（請求項２）の波力発電装置は、浮動体とそれに釣り合う重量のピストンとを滑車を介してワイヤーで繋ぎ、波によって上下する浮動体の運動をピストンに伝え、シリンダから海水を空気室に送り、空気室から送り出される整流された海水によりタービンを回転させる構成とした。【０００９】  本発明（請求項３）の波力発電装置は、浮動体の上下とピストン支持棒の上下とを滑車を介して１つの輪となるようにワイヤーで繋ぎ、波によって上下する浮動体の運動をピストンに伝え、シリンダから海水を空気室に送り、空気室から送り出される整流された海水によりタービンを回転させる構成とした。【００１０】  本発明（請求項４）の波力発電装置は、オイル槽の中にシリンダを設置し、浮動体の上下とピストン支持棒の上下とを滑車を介して１つの輪となるように繋ぎ、波によって上下する浮動体の運動をピストンに伝え、シリンダからオイルを空気室に送り、空気室から送り出される整流されたオイルによりタービンを回転させる構成とした。
【発明の効果】
【００１１】  本発明の波力発電装置は、波力を受ける部分と発電機を十分離すことができるので、海水による腐食を防ぐ対策が容易である。【００１２】  本発明の波力発電装置は、波のエネルギーを圧力によってはほとんど体積を変化させない海水又はオイルの流れのエネルギーに変換するので、水柱振動型波力発電装置におけるようなエネルギーのロスがない。【００１３】  本発明の波力発電装置は、海水又はオイルを送り出すシリンダとタービンの間に空気室を設けているが、空気室の容積を十分なものにすれば、波の周期による海水又はオイルの流量のむらを十分に吸収することができる。【００１４】  本発明（請求項４）の波力発電装置は、シリンダをオイル槽の中に設置するので、ピストンの滑らかな動きが持続するとともに、海水による腐食を防ぐことができる。
【図面の簡単な説明】
【００１５】
【図１】  本発明（請求項１）の波力発電装置の側面断面図である。
【図２】  本発明（請求項１）の波力発電装置の浮動体の平面断面図である。
【図３】  本発明の波力発電装置のシリンダの側面断面図である。
【図４】  本発明（請求項２）の波力発電装置の側面断面図である。
【図５】  本発明（請求項３）の波力発電装置の側面断面図である。
【図６】  本発明（請求項４）の波力発電装置の側面断面図である。
【発明を実施するための形態】
【００１６】  以下、本発明の波力発電装置の実施の形態を実施例により説明する。
【実施例】
【００１７】  図１は本発明（請求項１）の波力発電装置の実施例を示す側面断面図、図２は浮動体の平面断面図、図３はシリンダの側面断面図である。【００１８】  波により浮動体１が上下に動くと、浮動体に連結したピストン３がシリンダ２内で上下に動くが、図３に示すシリンダの上下の弁８及び９の働きにより、ピストンが上方に動くときも下方に動くときもシリンダ２内の海水は空気室４に送られる。シリンダ２から空気室４に送られる海水の流れにはむらがあるが、空気室４内の空気がクッションの働きをし、空気室４からタービン・発電機５に送られるときにはむらが十分に除去され、安定した発電をすることができる。【００１９】  図４は、本発明（請求項２）の波力発電装置の実施例を示す側面断面図である。【００２０】  波により浮動体１が上下に動くと、浮動体１とワイヤー１１で繋がれたピストン３がシリンダ２内で上下に動く。それ以外は、請求項１の波力発電装置と同じである。【００２１】  図５は、本発明（請求項３）の波力発電装置の実施例を示す側面断面図である。【００２２】  波力発電の仕組みは、請求項２の波力発電装置と同じである。【００２３】  図６は、本発明（請求項４）の波力発電装置の実施例を示す側面断面図である。【００２４】  海水の代わりにオイルでタービン・発電機５を回すこと以外は、波力発電の仕組みは、請求項３の波力発電装置と同じである。
【符号の説明】
【００２５】  １    浮動体
２    シリンダ
３    ピストン
４    空気室
５    タービン・発電機
６    支柱
７    海水
８    排出弁
９    吸入弁
１０    滑車
１１    ワイヤー
１２    オイル
【図１】
2011021590.tif 000003
【図２】
2011021590.tif 000004
【図３】
2011021590.tif 000005
【図４】
2011021590.tif 000006
【図５】
2011021590.tif 000007
【図６】
2011021590.tif 000008